(57)【特許請求の範囲】
【請求項１】
横長で一側端から予混合ガスが流入される１列から数列のバーナ部を備え、このバーナ部の青色火炎が見えるようにする方形の輻射窓を器具本体の正面に備え、更に輻射窓には正面側が突出した横長ビードを連続した耐熱性のビードガラスを備えたものに於いて、前記輻射窓の左右両端となるバーナ部の燃料流入側端部には点火プラグを設けると共に、反対側端部にはフレームロッドを設けたことを特徴とする暖房装置の燃焼部。
【発明の詳細な説明】
【技術分野】
【０００１】
この発明は、暖房装置の燃焼部を構成する気化式の燃焼部に関するものである。
【背景技術】
【０００２】
従来よりこの種のものでは、器具本体の正面に輻射窓を設け、燃焼火炎を確認すると共に、ここからの熱の放射や輻射を得て暖房効果の向上を図るものであった。（例えば、特許文献１参照。）
【特許文献１】特許第３３９８１１８号公報
【発明の開示】
【発明が解決しようとする課題】
【０００３】
ところでこの従来のものでは、ポット式のバーナで、燃油をポットの底部で気化させると同時に一次燃焼空気及び二次燃焼空気を段階的に供給して、赤色火炎で燃焼させるものであるから、ビードガラスによって点火プラグやフレームロッドの赤熱状態が縦に延びて映ることがなく、赤色火炎で目立たないので、どの位置に設けても問題はなかったが、近年燃焼部を気化式とし燃油を気化して一次燃焼空気と予混合した混合ガスを、二次燃焼空気の供給受けながら燃焼させるものでは、火炎が青色であるために、ビードガラスに点火プラグやフレームロッドの赤熱状態が縦に延びて映るという問題点を有するものであった。
【課題を解決するための手段】
【０００４】
この発明はこの点に着目し上記欠点を解決する為、特にその構成を、横長で一側端から予混合ガスが流入される１列から数列のバーナ部を備え、このバーナ部の青色火炎が見えるようにする方形の輻射窓を器具本体の正面に備え、更に輻射窓には正面側が突出した横長ビードを連続した耐熱性のビードガラスを備えたものに於いて、前記輻射窓の左右両端となるバーナ部の燃料流入側端部には点火プラグを設けると共に、反対側端部にはフレームロッドを設けたものである。
【発明の効果】
【０００５】
この発明によれば、赤熱状態が輻射窓のビードガラスに赤い筋として映る点火プラグとフレームロッドを、赤い筋が目立たない輻射窓の左右両端となる、バーナ部の予混合ガスの流入側端部に点火プラグを設け、反対側端部にはフレームロッドを設けたことで、青い炎だけが綺麗に見えて輻射と共に見栄えも極めて良いものであり、又バーナ部の予混合ガスの流入側端部に点火プラグを設けたことで、最初に流入するガスで着火し順次火移りさせて、良好な着火性能を得ることが出来るものであり、更に反対側端部のバーナ部最終端にフレームロッドが設けられたことで、最後に着火される火炎で炎検知が行われ、確実な炎検知が常に行われて安心して使用出来るものであり、即ち、青い炎に赤い筋が映ることを防止することにより、着火性能の向上と確実な炎検知とを合わせて得ることが出来たものである。
【発明を実施するための最良の形態】
【０００６】
次にこの発明の一実施形態を図示した暖房装置に基づいて説明する。
１は温風と共に遠赤外線を放射した暖房を行う暖房装置の器具本体で、該器具本体１の中央上部には表面に遠赤塗料が塗布され内方を燃焼ガスが流通することで遠赤外線を放熱する放熱器２が備えられ、この放熱器２の下方には後述する燃焼室の前面を覆う化粧枠３を備え、更に放熱器２と化粧枠３の前面にはガード体４が位置し、前面上部には各種作動状態を表示する表示部５が設けられ、上面には各種操作ボタン等からなる操作部６が備えられている。
【０００７】
７は前記放熱器２下部に備えられ該放熱器２に燃焼ガスを供給する燃焼室で、内方下部には複数の横切り込みの炎孔からなる炎孔部８を有し燃油と気化ガスと一次燃焼空気との予混合ガスを燃焼させるバーナ部９を備えており、更にこの燃焼室７の正面中央には、バーナ部９の青色火炎を露呈させる方形の輻射窓１０が形成され、この輻射窓１０には正面側に複数の横長ビードを一面に設けた耐熱性のビードガラス１１が設けられ、化粧枠３にはこの輻射窓１０を露呈するための開口１２が形成されている。
【０００８】
１３は側壁部にＵ字状の気化用ヒータ１４を鋳込んだアルミダイキャストから成る縦長箱型の気化器で、燃焼室７の一側壁を貫通して備えられ、その正面は燃料噴射ノズル１５及び燃焼用の一次空気の噴出口であるベンチュリー部１６を備えた蓋体１７で閉塞され、中央に突出した仕切壁１８で仕切られた下部には混合ガスの流出口１９が形成されている。
【０００９】
前記気化器１３は燃料噴射ノズル１５及びベンチュリー部１６と対向する内面を、該燃料噴射ノズル１５及びベンチュリー部１６に対して垂直に形成し垂直気化面２０とすると共に、燃油及び一次燃焼空気が吹き付けられる部分は、燃油の均一な拡散を図る為に平坦面２１とし、更にこの平坦面２１の下方で該平坦面２１の真下を除くその両側には、気化器１３の側壁に連通する水平ビード２２を設け、又この水平ビード２２の下方には、平坦面２１に対応する部分を頂点とする山形ビード２３が設けられ、気化せずに硫下する燃油を一旦受けて気化を促進させるものである。
【００１０】
又前記ベンチュリー部１６と仕切壁１８との間には、蓋体１７から垂直気化面２０に向かって突出した水平板２４を備え、前記仕切壁１８とにより垂直気化面２０と蓋体１７との間に蛇行路２５を形成するものであり、更に流出口１９の手前には、蓋体１７からコ字状に突設された整流板２６が備えられ、蛇行路２５を通り混合が促進された混合ガスが整流板２６に一旦ぶつかりその勢いを抑えられ、又整流されながら流出口１９へと流れるようにしたものである。
【００１１】
２７は気化器１３の背面を除く全体を覆ったカバー体で、ベンチュリー部１６に連通し一次燃焼空気を供給する一次空気供給穴２８と、その下方で蓋体１７外周と気化器１３外周から成る二次空気通路２９に二次燃焼空気を供給する二次空気供給穴３０とを備え、更にこの２つの供給穴２８、３０にスムーズに空気を供給する空気案内部３１が燃焼ファン３２の吹き出し側に設けられている。
【００１２】
３３は気化器１３の背面側で流出口１９からの混合ガスを一側の流入口３４から流入させ、上端の一列のみの前記バーナ部９で燃焼させる先細状の１つのガス室で、一端下部には上記二次空気通路２９と連通する連通口３５を形成した箱型の二次空気室３６で覆われており、更にこの二次空気室３６の上面と一列のバーナ部９との隙間を二次空気孔３７とすると共に、この両側の二次空気孔３７とバーナ部９との間には二次空気整流用の保炎板３８が設けられている。
【００１３】
又前記バーナ部９の上面の炎孔部８で、気化器１３背面のヒートバック用の複数の吸熱フィン３９と対向する炎孔は他より大きな大炎孔４０としている。
４１はガス室３３底部の入り口近くに備えられた三角山状の偏流板で、ガス室３３内に流入してくる混合ガスの一部を大炎孔４０側に案内するものである。
【００１４】
４２はバーナ部９の混合ガスの流入口３４近傍の炎孔部８上に設けられた点火プラグで、バーナ部９との間で放電して炎孔部８から放出される混合ガスに着火するものである。
４３は点火プラグ４２とは反対側の最終炎孔部８上でに備えられたフレームロッドで、火炎の導電作用を利用して火炎の有無を検知するものである。
【００１５】
又前記燃焼室７の正面の方形輻射窓１０は、下端を炎孔部８よりやや上方とし、左右両端の一端はバーナ部９の混合ガスの流入口３４近傍の点火プラグ４２がぎりぎり隠れる位置とし、他端は反対側の最終炎孔部８上でに備えられたフレームロッド４３がぎりぎり隠れる位置とし、この間に気化燃焼の青色火炎をビードガラス１１全体で映し出すようにしたものである。
【００１６】
更に前記保炎板３８の両端部には、幅広で長く突出した舌片４４を設け、吸熱フィン３９下では、大火炎４０で加熱された吸熱フィン３９が、二次燃焼空気で冷却されることを防止するものであり、又反対側ではフレームロッド４３が検知する火炎が二次燃焼空気の供給を受けてリフト燃焼して、火炎検知出来なくなることを防止するものである。
４５は燃料噴射ノズル１５に燃油を供給する電磁ポンプ、４６は一定量の燃油を貯める定油面器である。
【００１７】
次にこの一実施形態の作動について説明すれば、気化用ヒータ１４に通電し気化器１３を燃油の気化可能の所定温度まで加熱すれば、これを適所に設けた温度センサ（図示せず）が検知し、燃焼空気供給用の燃焼ファン３２及び燃油供給用の電磁ポンプ４５を駆動させることで、気化器１３には燃料噴射ノズル１５から燃油が、又ベンチュリー部１６からは一次燃焼空気がそれぞれ供給される。
【００１８】
そして気化器１３では、燃料噴射ノズル１５から噴射された燃油は、垂直気化面２０の平坦面２１に衝突して気化し気化ガスとなるものであり、又ここで気化しきれなかった燃油は水平ビード２２や山形ビード２３に流れて気化されて、ベンチュリー部１６から供給される一次燃焼空気と予混合して混合ガスとなって、下部の流出口１９に向かって流通するが、この時混合ガスは先ず仕切壁１８と水平板２４とで形成された蛇行路２５を流通し、長い流路で２つの曲がりを通過することで混合が促進され、更に流出口１９の手前で整流板２６にぶつかり、又この整流板２６を蓋体１７から突設させるための上下の支持板にもぶつかって、その流速が抑えられると共に、乱流が起きて更に混合が促進し、そして最終的には整流板２６の周囲を通過して流入口３４からガス室３３へ流入するものである。
【００１９】
このガス室３３へ流入した混合ガスは、整流板２６で流速は抑えられているので、流入口３４近傍上方のバーナ部９の大炎孔４０に集中することなく、先細となっているガス室３３内の反対側まで流通した後、上部のバーナ部９の全ての炎孔から均一に放出され、点火プラグ４２の放電で着火されて安定して燃焼するものである。
【００２０】
そしてこの燃焼時、従来では赤熱状態が輻射窓１０のビードガラス１１に赤い筋として映る点火プラグ４２とフレームロッド４３を、赤い筋が目立たない輻射窓１０の左右両端で隠すこととなり、バーナ部９の予混合ガスの流入側端部に点火プラグ４２を設け、反対側端部にはフレームロッド４３を設けたことで、青い炎だけが綺麗に見えて輻射と共に見栄えも極めて良いものであり、又バーナ部９の予混合ガスの流入側端部に点火プラグ４２を設けたことで、最初に流入するガスで着火し順次火移りさせて、良好な着火性能を得ることが出来るものであり、更に反対側端部のバーナ部９最終端にフレームロッド４３が設けられたことで、最後に着火される火炎で炎検知が行われ、確実な炎検知が常に行われて安心して使用出来るものであり、即ち、青い炎に赤い筋が映ることを防止することにより、着火性能の向上と確実な炎検知とを合わせて得ることが出来たものである。
【図面の簡単な説明】
【００２１】
【図１】この発明の一実施形態を示す暖房装置の斜視図。
【図２】同一部分解した暖房装置の斜視図。
【図３】同ビードガラスの斜視図。
【図４】同燃焼室の説明図。
【図５】同バーナ部の説明図。
【図６】同気化器の断面図。
【図７】同気化器の正面図。
【図８】同バーナ部の平面図。
【図９】同バーナ部の斜視図。
【図１０】同バーナ部の要部説明図。
【図１１】同カバー体の斜視図。
【図１２】同要部蓋体の斜視図。
【符号の説明】
【００２２】
１  器具本体
９  バーナ部
１０  輻射窓
１１  ビードガラス
４２  点火プラグ
４３  フレームロッド
【図１】
0004598092.tif 000002
【図２】
0004598092.tif 000003
【図３】
0004598092.tif 000004
【図４】
0004598092.tif 000005
【図５】
0004598092.tif 000006
【図６】
0004598092.tif 000007
【図７】
0004598092.tif 000008
【図８】
0004598092.tif 000009
【図９】
0004598092.tif 000010
【図１０】
0004598092.tif 000011
【図１１】
0004598092.tif 000012
【図１２】
0004598092.tif 000013